(57)【特許請求の範囲】
【請求項１】
地盤から起立する支持ボルトの上端に固着される大引き受け板の両側から立ち上がる挟持部の上部を斜めに折り曲げて案内部を形成し、挟持部の幅方向中央部に板バネが固着され、板バネは固着部より実行幅の狭い起立部の上部が鋭角的に折り曲げられて係止部となり、該係止部を更に折り曲げて案内部が形成された束金物と、
底部中央が開口したほぼ矩形状の中空断面をもち、板バネの固着部と両側の挟持部との間の大引き受け板上面に載置される着座辺の内側から板バネの案内部と同じ傾斜角度で被案内辺が立ち上がり、該被案内辺の端部が鋭角的に折り曲げられて係止辺となり、着座辺の外側から垂直上方に立ち上がった側壁辺をもつ鋼製大引きとを備え、
大引き受け板上に鋼製大引きの着座辺が接触したとき、鋼製大引きの側壁辺が大引き受け板の挟持部に挟み込まれ、被案内辺に受け部があてがわれ、係止辺に板バネの係止部が噛み合うことを特徴とする鋼製大引きの連結構造。
【発明の詳細な説明】
【０００１】
【産業上の利用分野】
本発明は、住宅等の建物下部の構築に使用される鋼製大引きの連結構造に関する。
【０００２】
【従来の技術】
住宅を始めとする建物では、コンクリート基礎に床パネルを差し渡した床構造が採用されている。たとえば、図１に示すようにコンクリート等が打設された地盤ＧＬからコンクリート製基礎１を立設し、隣接するコンクリート製基礎１，１の間に床パネル２を差し渡す。床パネル２は、束金物３で支持された大引き４に釘，ビス等の固定金具で固定される。
大引き４としては、従来から使用されてきた木材に替えて鋼製大引きが使用され始めている。鋼製大引きは、乾燥収縮により反り，捻り等の変形が生じ易い木製大引きの欠点を解消し、寸法安定性に優れている。
【０００３】
束金物に対する鋼製大引きの取付けを容易にするため、特開平９−２１７４５２号公報では、鋼製大引きの側面に係合凹部を設け、該係合凹部に引っ掛る係合片を備えた束金物が紹介されている。
この束金物は、図２（ａ）に示すように設置板３ａから起立した支持ボルト３ｂにターンバックル３ｃを介して受け金具３ｄが固着されている。受け金具３ｄには、鋼製大引き６が入る収容空間３ｅをあけて両側に起立片３ｆが設けられ、起立片３ｆの一部に切り込みを入れて収容空間３ｅ側に突出する係止片３ｇとしている。束金物３に連結される鋼製大引き６には、係止片３ｇに噛み合う係合突起６ａが下部両側から突出している。
束金物３に鋼製大引き６を連結するとき、鋼製大引き６を上方から束金物３の収容空間３ｅに押し込むと、起立片３ｆが弾性変形して両側に開き、係合突起６ａが係止片３ｇを乗り越えた時点で起立片３ｆが弾性復元する。その結果、図２（ｂ）に示すように係止片３ｇと係合突起６ａとの噛み合いによって、鋼製大引き６が束金物３に連結される。
【０００４】
【発明が解決しようとする課題】
図２の方式による噛合いでは、起立片３ｆから収容空間３ｅ側に突出する係止片３ｇの弾性変形が係合力に使用されるだけであるため、連結強度の弱い継手構造になる。また、起立片３ｆが外側に開くとき収容空間３ｅの底部３ｈが上反りに変形するため、連結強度に有効な弾性復元力が一層弱くなる。更には、収容空間３ｅ内を鋼製大引き６が長手方向にずれることに対する拘束力もあまり期待できない。
本発明は、このような問題を解消すべく案出されたものであり、鋼製大引きと束金物とを強固に、しかもワンタッチ方式で連結する構造を採用することにより、堅固な床構造を作業性良く構築することを目的とする。
【０００５】
【課題を解決するための手段】
本発明の連結構造は、その目的を達成するため、地盤から起立する支持ボルトの上端に固着される大引き受け板の両側から立ち上がる挟持部の上部を斜めに折り曲げて案内部を形成し、挟持部の幅方向中央部に板バネが固着され、板バネは固着部より実行幅の狭い起立部の上部が鋭角的に折り曲げられて係止部となり、該係止部を更に折り曲げて案内部が形成された束金物と、
底部中央が開口したほぼ矩形状の中空断面をもち、板バネの固着部と両側の挟持部との間の大引き受け板上面に載置される着座辺の内側から板バネの案内部と同じ傾斜角度で被案内辺が立ち上がり、該被案内辺の端部が鋭角的に折り曲げられて係止辺となり、着座辺の外側から垂直上方に立ち上がった側壁辺をもつ鋼製大引きとを備え、
大引き受け板上に鋼製大引きの着座辺が接触したとき、鋼製大引きの側壁辺が大引き受け板の挟持部に挟み込まれ、被案内辺に受け部があてがわれ、係止辺に板バネの係止部が噛み合うことを特徴とする。
【０００６】
【実施の形態】
本発明で使用する束金物１０は、たとえば図３（ａ）に示すように支持ボルト１１の上端に大引き受け板１２を溶接等で固着し、大引き受け板１２で鋼製大引き２０を支持する。支持ボルト１１としては、従来と同様にターンバックル等の高さ調節機構を備えたものが使用される。
大引き受け板１２の両側は、垂直上方に立ち上がった挟持部１２ａ，１２ａになっており、挟持部１２ａ，１２ａの内側に板バネ１３が固着される。挟持部１２ａの上部は若干外向きに折れ曲がり、案内部１２ｂになっている。大引き受け板１２の前端及び後端は下方に折り曲げられ、大引き受け板１２の幅方向撓み変形を防止する補強部１２ｃが形成されている。鋼製大引き２０の長手方向に関して大引き受け板１２の中央部位置で、大引き受け板１２の内部が所定の傾斜角度で切り起こされ、受け部１２ｄが形成されている。
【０００７】
板バネ１３は、一枚のバネ板を成形して作られたものであり、大引き受け板１２の幅方向中凹部にビス１３ａ等で固着される固着部１３ｂの両側から起立部１３ｃ，１３ｃが立ち上がった形状をもっている。起立部１３ｃの上部は外向きに折り曲げられて係止部１３ｄとなり、係止部１３ｄが更に内向きに折り曲げられて案内部１３ｅが形成されている（図３ｂ）。鋼製大引き２０の長手方向に関する起立部１３ｃの中央部に開口１３ｆを形成すると、起立部１３ｃの実行幅が狭くなり、板バネ１３の弾性変形が起立部１３ｃに集中する。
板バネ１３が固着された大引き受け板１２の両側上面が、鋼製大引き２０の載置面１２ｅ，１２ｅとなる。
【０００８】
束金物１０に連結される鋼製大引き２０は、鋼板を所定形状に成形し、底面中央が開口したほぼ矩形上の断面をもつ。底面開口２７を挟む両側に着座辺２１Ｒ，２１Ｌがあり、着座辺２１Ｒ，２１Ｌの内側が斜め上方に立ち上がった被案内辺２２，２２となり、被案内辺２２，２２の端部が外向きに折り曲げられて係止辺２３，２３が形成されている。被案内辺２２の立上り角度は大引き受け板１２に形成した受け部１２ｄの傾斜角度に等しく、係止辺２３，２３と被案内辺２２との間の角度は、係止部１３ｄと案内部１３ｅとの間の角度αに等しく設定されている。着座辺２１Ｒ，２１Ｌの外側から側壁辺２４，２４が垂直に立ち上がり、側壁辺２４，２４上部の間が根太（図示せず）配置用の上辺２５になっている。
【０００９】
鋼製大引き２０を図３（ａ）に矢印で示すように押し下げると、鋼製大引き２０の底面コーナー部が案内部１２ｂに案内され、大引き受け板１２の案内部１２ｂと板バネ１３の案内部１３ｅとの間に着座辺２１Ｒ，２１Ｌが導かれる。鋼製大引き２０の下降に伴って、被案内辺２２で案内部１３ｅが押される力によって板バネ１３の起立部１３ｃが内側に弾性変形する。
更に鋼製大引き２０を押し下げ、被案内辺２２が案内部１３ｅを乗り越えると、板バネ１３が弾性復元し、係止部１３ｄが鋼製大引き２０の係止辺２３に噛み合う（図３ｃ）。このとき、鋼製大引き２０の側壁辺２４が両側から挟持部１２ａに挟み込まれ、被案内辺２２が下方から受け部１２ｄで受け止められる。
【００１０】
鋼製大引き２０は、係止部１３ｄと係止辺２３との噛合いによりガタツキなく束金物１０に連結される。図３（ｄ）は、このようにして束金物１０に取り付けられた鋼製大引き２０を側方から見た図である。束金物１０に取り付けられた鋼製大引き２０に上向きの力が加えられても、着座辺２１Ｒ，２１Ｌ，被案内辺２２，２２及び側壁辺２４，２４の下部が載置面１２ｅ、受け部１２ｄ及び挟持部１２ａでそれぞれ保形されているので係止部１３ｄと係止辺２３との噛合いが解除されることがない。しかも、係止部１３ｄ及び係止辺２３は同じ角度αで面接触しているため、鋼製大引き２０は強固に束金物１０に連結される。
地盤に立設した束金物１０に上方から鋼製大引き２０を押し下げて連結することもできるが、作業性を考慮すると、底面開口２７を上に向けた状態で鋼製大引き２０に束金物１０を差し込んだ後、束金物１０の支持ボルト１１を地盤から立設した相手材にねじ込む方が好ましい。
【００１１】
このように束金物１０に強固に連結された鋼製大引き２０に床パネルが配置されるため、堅固な床構造が構築される。しかも、地盤ＧＬから起立している束金物１０の大引き受け板１２に鋼製大引き２０を嵌め込むだけのワンタッチ方式で束金物１０に鋼製大引き２０が連結される。連結手順としては、地盤ＧＬに立設した束金物１０に鋼製大引き２０を嵌め込むことも可能であるが、ターンバックル等の高さ張設機能を備えた束金物１０を予め鋼製大引き２０に嵌め込み、地盤ＧＬに立設する方式が作用性に優れている。
【００１２】
【発明の効果】
以上に説明したように、本発明の連結構造では、束金物のバネ部に形成した係止辺と鋼製大引きの係合辺とを面接触状態で噛み合わせる方式を採用し、連結された鋼製大引きの下部を大引き受け板で保形しているので、噛合い状態が解除されることなく束金物に鋼製大引きが強固に連結され、上下方向に対する引抜き力や長手方向に沿ったズレに対して抵抗力のある連結構造が得られる。しかも、鋼製大引きを上方から板バネと挟持部との間に差し込むワンタッチ作業で鋼製大引きが連結されるため、作業性も格段に改善される。このようにして取り付けられた鋼製大引きの上に根太を配置して床パネルを敷くとき、堅固な床構造が容易に構築される。
【図面の簡単な説明】
【図１】  床構造の概略図
【図２】  束金物に鋼製大引きを連結する従来の構造
【図３】  本発明に従った連結構造を説明する図であり、束金物１０及び鋼製大引き２０の斜視図（ａ），束金物１０に固着される板バネ１３の断面図（ｂ），連結状態を示す断面図（ｃ）及び側面図（ｄ）
【符号の説明】
１０：束金物    １１：支持ボルト    １２：大引き受け板    １２ａ：挟持部
１２ｂ：案内部    １２ｃ：補強部    １２ｄ：受け部    １２ｅ：載置面
１３：板バネ    １３ａ：ビス    １３ｂ：固着部    １３ｃ：起立部
１３ｄ：係止部    １３ｅ：案内部    １３ｆ：開口
２０：鋼製大引き    ２１Ｒ，２１Ｌ：着座辺    ２２：被案内辺    ２３：係止辺    ２４：側壁辺    ２５：上辺    ２７：底面開口
α：板バネの係止部及び鋼製大引きの係止辺の傾斜角度
【図１】
0004439087.tif 000002
【図２】
0004439087.tif 000003
【図３】
0004439087.tif 000004